【手続補正書】
【提出日】平成17年5月26日(2005.5.26)
【手続補正１】
【補正対象書類名】特許請求の範囲
【補正対象項目名】全文
【補正方法】変更
【補正の内容】
【特許請求の範囲】
【請求項１】
ベンチマークを含む電子データ構造を、コンピュータシステムにて実行される１つまたは複数の処理によって処理する方法において、
該電子データ構造は、ＳＧＭＬベースの言語によって読み出し可能なフォーマットを有するファイルであり、
該電子データ構造のうち１つまたは複数を、電子的手段によってセカンドパーティに対して呈示することを特徴とする方法。
【請求項２】
ベンチマークを含む電子データ構造を、コンピュータシステムにて実行される１つまたは複数の処理によって処理する方法において、
該電子データ構造は、ＳＧＭＬベースの言語によって読み出し可能なフォーマットを有するファイルであり、
該ファイルは、１つまたは複数のベンチマーク定義を有しており、
該電子データ構造のうち１つまたは複数を、電子的手段によってセカンドパーティに対して呈示することを特徴とする方法。
【請求項３】
前記電子的手段はインターネットを含んでおり、
該電子データ構造のうち１つまたは複数へのリンクを、インターネットページ上にて表示する、請求項１または２記載の方法。
【請求項４】
ビジネス処理を支援するためのソフトウェア、たとえば事業リソースプランニングのソフトウェアにて使用する、請求項１から３までのいずれか１項記載の方法。
【請求項５】
該ファイルはＸＭＬファイルまたはＨＴＭＬファイルである、請求項１から４までのいずれか１項記載の方法。
【請求項６】
ベンチマークを含む電子データ構造を処理するためのコンピュータシステムであって、
コンピュータシステムにて実行される１つまたは複数の処理によって電子データ構造が処理される形式のものにおいて、
該電子データ構造は、ＳＧＭＬベースの言語によって読み出し可能なフォーマットを有するファイルであり、
プログラム命令を有するメモリと、データを入力するための入力手段と、データを記憶するための記憶手段と、プロセッサとが設けられており、
前記プロセッサは、プログラム命令に応答して、該電子データ構造のうち１つまたは複数を電子的手段によってセカンドパーティに対して呈示することを特徴とするコンピュータシステム。
【請求項７】
ベンチマークを含む電子データ構造を処理するためのコンピュータシステムであって、
コンピュータシステムにて実行される１つまたは複数の処理によって電子データ構造が処理される形式のものにおいて、
該電子データ構造は、ＳＧＭＬベースの言語によって読み出し可能なフォーマットを有するファイルであり、
該ファイルは、１つまたは複数のベンチマーク定義を有しており、
プログラム命令を有するメモリと、データを入力するための入力手段と、データを記憶するための記憶手段と、プロセッサとが設けられており、
前記プロセッサは、プログラム命令に応答して、該電子データ構造のうち１つまたは複数を電子的手段によってセカンドパーティに対して呈示することを特徴とするコンピュータシステム。
【請求項８】
前記電子的手段はインターネットを含んでおり、
該電子データ構造のうち１つまたは複数へのリンクが、インターネットページ上に表示される、請求項６または７記載のコンピュータシステム。
【請求項９】
ビジネス処理を支援するためのソフトウェア、たとえば事業リソースプランニングのソフトウェアにて使用する、請求項６から８までのいずれか１項記載の方法。
【請求項１０】
該ファイルは、ＸＭＬファイルまたはＨＴＭＬファイルである、請求項６から９までのいずれか１項記載のコンピュータシステム。
【請求項１１】
ベンチマークデータを含む電子データ構造を処理するための命令を有するコンピュータ読み出し可能媒体であって、
コンピュータシステムにて実行される１つまたは複数の処理によって該電子データ構造は処理される形式のものにおいて、
該電子データ構造は、ＳＧＭＬベースの言語によって読み出し可能な形式を有するファイルであり、
該コンピュータシステムは、該電子データ構造のうち１つまたは複数を、電子的手段によってセカンドパーティに対して呈示するための命令を有することを特徴とするコンピュータ読み出し可能媒体。
【請求項１２】
ベンチマークデータを含む電子データ構造を処理するための命令を有するコンピュータ読み出し可能媒体であって、
コンピュータシステムにて実行される１つまたは複数の処理によって該電子データ構造は処理される形式のものにおいて、
該電子データ構造は、ＳＧＭＬベースの言語によって読み出し可能なフォーマットを有するファイルであり、
該ファイルは、１つまたは複数のベンチマーク定義を有しており、
該コンピュータシステムは、該電子データ構造のうち１つまたは複数を、電子的手段によってセカンドパーティに対して呈示するための命令を有することを特徴とするコンピュータ読み出し可能媒体。
【請求項１３】
該電子的手段はインターネットを含んでおり、
該電子データ構造のうち１つまたは複数へのリンクが、インターネットページ上に表示される、請求項１１または１２記載のコンピュータ読み出し可能媒体。
【請求項１４】
ビジネス処理を支援するためのソフトウェア、たとえば事業リソースプランニングのソフトウェアにて使用される、請求項１１から１３までのいずれか１項記載のコンピュータ読み出し媒体。
【請求項１５】
該ファイルは、ＸＭＬファイルまたはＨＴＭＬファイルである、請求項１１から１４までのいずれか１項記載のコンピュータ読み出し可能媒体。
【請求項１６】
搬送波で実現されたコンピュータデータ信号であって、
コンピュータシステムにて実行される１つまたは複数の処理によって、ベンチマークを含む電子データ構造を処理するためのコードを有する形式のものにおいて、
該電子データ構造は、ＳＧＭＬベースの言語によって読み出し可能なフォーマットを有するファイルであり、
該コードは、該電子データ構造のうち１つまたは複数を、電子的手段によってセカンドパーティに対して呈示するための命令を含むことを特徴とするコンピュータデータ信号。
【請求項１７】
搬送波で実現されたコンピュータデータ信号であって、
コンピュータシステムにて実行される１つまたは複数の処理によって、ベンチマークを含む電子データ構造を処理するためのコードを有する形式のものにおいて、
該電子データ構造は、ＳＧＭＬベースの言語によって読み出し可能なフォーマットを有するファイルであり、
該ファイルは、１つまたは複数のベンチマーク定義を有し、
該コードは、該電子データ構造のうち１つまたは複数を、電子的手段によってセカンドパーティに対して呈示するための命令を含むことを特徴とするコンピュータデータ信号。
【請求項１８】
該ファイルは、ＸＭＬファイルまたはＨＴＭＬファイルである、請求項１６または１７記載のコンピュータデータ信号。
【請求項１９】
ビジネス処理を支援するためのソフトウェアにおける電子データ構造の使用のプロセスであって、
該電子データ構造は、ベンチマークデータを含む形式のプロセスにおいて、
該電子データ構造は、ＳＧＭＬベースの言語によって読み出し可能なフォーマットを有するファイルであることを特徴とするプロセス。
【請求項２０】
ビジネス処理を支援するためのソフトウェアにおける電子データ構造の使用のプロセスであって、
該電子データ構造は、ベンチマークデータを含む形式のプロセスにおいて、
該電子データ構造は、ＳＧＭＬベースの言語によって読み出し可能なフォーマットを有するファイルであり、
該ファイルは、１つまたは複数のベンチマーク定義を有することを特徴とするプロセス。
【請求項２１】
該ファイルは、ＸＭＬファイルまたはＨＴＭＬファイルである、請求項１９または２０記載のプロセス。